(57)【要約】      （修正有）【課題】人体の耳部の外耳道に付着した耳垢の剥離及び除去（掃除）が容易にして、且つ確実に出来る耳かき道具を提供する。【解決手段】人体の耳の外耳道の耳垢を除去（掃除）する為の道具であって、当該道具１には手で持つ柄部分と先端部３によって構成されている、先端部３には耳垢を除去（掃除）する為の耳かきヘッド８と耳の外耳道に耳かきヘッド８を挿入する際に誤って鼓膜を損傷させない為に、耳かきヘッド８との距離間隔を調整できるストッパー１１が装着されている、耳かきヘッド８の形状は外耳道に平行になるように縦方向に４つのリブが形成され、そのリブに交差するようにフランジが形成されている、リブと隣接するリブ及びフランジによって出来た窪みによって、耳かきヘッド８のエッジ部が外耳道に摺接しながら摺動することで剥離した耳垢を、掬い取り外部に取り出すことが出来る耳かき道具である。【選択図】図６
0003205307.tif 000002
【実用新案登録請求の範囲】
【請求項１】
人体の耳部外耳道の耳垢を除去（掃除）する耳かき道具であって、当該道具は手で持つ柄部分と耳かきヘッドが装着されている先端部によって構成されている、先端部は湾曲に曲げることが出来る柔軟性を持っている、先端部に装着されている耳かきヘッドは直接耳垢を除去する為のもので、耳かきヘッドの材質は金属性、合成ゴム、天然ゴム及び合成樹脂製で、その形状は外耳道に平行になるように耳かきヘッドの周囲に、先端に向かって縦方法に複数のリブが等間隔に形成され、リブと隣接するリブによって出来る窪みを備えた耳かきヘッドを装着した耳かき道具。
【請求項２】
請求項１の耳かき道具において、外耳道に平行になるように耳かきヘッドの縦方向に等間隔に形成されているリブとそのリブに交差するように１又は複数のフランジが形成され、リブと隣接するリブとフランジによって出来る窪みを備えた耳かきヘッドを装着した耳かき道具。
【請求項３】
上記請求項１及び請求項２の耳かき道具において耳掃除の際に耳かき道具の先端が耳部の鼓膜を誤って損傷することを防ぐ為、外耳道に挿入する耳かきの先端部分の長さを調整のできるストッパーを付けたことを特徴とする耳かき道具。      
【考案の詳細な説明】
【技術分野】
【０００１】
本考案は耳かき道具に関し、更には詳細には人体の耳部外耳道の耳垢の除去（掃除）を施す耳かき道具に関する。
【背景技術】
【０００２】
耳垢の除去（掃除）には、古来より竹製の箆型の耳かき道具が知られており、最近ではループ型・スパイラル型・円盤型や綿棒型等、金属製や樹脂性の商品が生産され販売されている。
【先行技術文献】
【特許文献】
【０００３】
実用新案登録第３１７１６２４号
特開２０１１−１１５３４６
特開平１０−１２７５１８
【考案の概要】
【考案が解決しようとする課題】
【０００４】
市販の耳かき道具の多くは、古来の竹製の箆型と同じで使い方は全て耳垢を手前にかき出す方法である、耳垢は大きく分けて乾性耳垢と湿性身垢があり、日本人はその約８４％が乾性耳垢で残りの約１６％が湿性耳垢であるといわれている、日本人に多いと言われている乾性耳垢は粉タイプや抜け殻タイプと言われている耳垢で、外耳道の下にたまったものは比較的取り出しやすいが、外耳道の周囲に付着したものはなかなか取りづらく、またこれまでの耳かき道具では耳垢の取りこぼしも多い。
【０００５】
更に外耳道周囲の耳垢を除去するには、周囲の壁部分を耳かきの先端の向きを変えながら何回も手前にかき出すことが必要である。
本考案は乾性耳垢タイプ・湿性耳垢タイプにかかわらず、短時間に容易に外耳道周囲の耳垢を取りこぼしがなく除去（掃除）出来る耳かき道具を提供することである。
【課題を解決するための手段】
【０００６】
本考案者は、前記目的を達成すべく検討を重ねた所、耳垢の溜まる外耳道は、入り口から奥に向かって軽いS字カーブを描いていて入り口付近は少し下がっている、外耳道は平均的には最長部９ｍｍ、最短部で７ｍｍの楕円形状で、奥行きの長さは約２５ｍｍである、また耳垢は外耳道の皮膚が一部はがれて耳垢線から出る分泌物等と混ざった物で、溜まりやすいところは外耳道の入り口から約１５ｍｍ位の間で耳垢線の付近であり、１５ｍｍ以上奥には溜まりにくい、この環境下で耳かきヘッドを外耳道の中で自在に動かす為には全体的に出来る限り小さいものが良く、直径は４ｍｍ以下、長さは１０ｍｍ以下で先端は柔軟性がある材料が好ましい、更に耳垢の除去方法を従来の手前にかき出す方法でなく、外耳道の周囲壁部を耳かき道具の先端部を摺接しながら摺動させることで、耳垢を更に効率よく剥離し取り去ることが出来ると予測できる。
【０００７】
その為に、耳かきヘッドの形態は外耳道に平行になるように、耳かきヘッドの周囲に複数のリブを縦方向に等間隔に設け、そのリブで外耳道の周囲を摺接しながら摺動することで耳垢を容易に剥離し取り去ることがでる、更に縦方向のリブと交差するよう１又は複数のフランジを形成することで、リブと隣接するリブ及びリブと隣接するリブとフランジのエッジ部によって剥離した外耳道に付着している耳垢は、リブと隣接するリブ及びリブと隣接するリブとフランジによって形成された窪みで掬いとり容易に外部に運び出せることを見出した。
【考案の効果】
【０００８】
本考案は、リブと隣接するリブ及び２つのリブとフランジによって形成された耳かきヘッドのエッジ部によって剥離された耳垢はリブと隣接するリブ及びリブと隣接するリブとフランジによって形成された窪みによって掬いとられ、従来の箆型や金属性でループやスパイラル状に巻かれた耳かき道具等では取りこぼしのあった乾性耳垢タイプ・湿式耳垢タイプの耳垢も、容易に取り出すことが可能になり、更にリブとフランジのエッジ部が外耳道の壁面を摺接しながら摺動する際に、その摩擦抵抗によりかき心地よさも増大した。
【図面の簡単な説明】
【０００９】
【図１】（ａ）は本考案の請求項１の実施例を示す立体図。（ｂ）は図１（ａ）の先端拡大図。
【図２】（ａ）は本考案の請求項１の実施例を示す耳かきヘッド部の立体図。（ｂ）は図２（ａ）の断面図。
【図３】（ａ）は本考案の請求項２の実施例を示す立体図、（ｂ）は図３（ａ）の先端拡大図。
【図４】（ａ）は本考案の請求項２の実施例を示す耳かきヘッド部の立体図。（ｂ）は図４（ａ）の断面図。
【図５】（ａ）は本考案の請求項２のヘッド部に形成されたリブの数が３箇所の実施例。（ｂ）は図４（ａ）の断面図。
【図６】（ａ）は本考案の請求項３の実施例を示す立体図。（ｂ）は図６（ａ）の先端部拡大図。
【図７】（ａ）は本考案の請求項３の実施例を示すストッパーの立体図。（ｂ）は図７（ａ）の断面図。
【図８】（ａ）は本考案の請求項２の耳かきヘッドが外耳道の壁部を摺接しながら摺動す          る軌跡を表した図である。（ｂ）は図８（ａ）の耳かきヘッド部が外耳道を壁部に摺接しながら摺動後に耳かきヘッドを手前に取り出した様子を表した図である。
【考案を実施するための最良の形態】
【００１０】
本考案の実施の形態については、添付図面を参照して説明する。各図において同様の機能を有する構成要素については同一の符号を付している。
本考案は、人体の耳部の耳垢を除去するための道具であって、当該道具は手で持つ柄部分と先端部によって構成されている、その先端部には外耳道の内面周囲を摺接しながら摺動し耳垢を除去する為の耳かきヘッドが装着されている、耳かきヘッドの手前には耳の外耳部に耳かきヘッドを挿入する際に誤って鼓膜を損傷させないために、耳かきヘッドとの間隔を調整できるストッパーが装着されている耳かき道具である。
【実施例】
【００１１】
本考案の実施例を図面によって説明する。
図１（ａ）は本考案の請求項１の実施例を示す立体図である。
当該道具１は柄２と先端部３によって構成されていて、先端部３には耳垢を除去する為の耳かきヘッド４が装着されている。図１（ｂ）は図１（ａ）の先端部３の拡大図である。
【００１２】
図２（ａ）は請求項１の実施例を示す当該道具１の耳かきヘッド４の立体図である。耳かきヘッド４の周囲には縦方向にリブ５が４箇所等間隔に形成されており、リブ５と隣接するリブ５によって窪み６が形成されている、耳かきヘッド４は挿入口７によって先端部３に装着される。図２（ｂ）は図２（ａ）の断面図である。図３（ａ）は請求項２の実施例を示す立体図である。当該道具１の先端部３には耳かきヘッド８が装着されている。図３（ｂ）は図３（ａ）の先端部拡大図である。
【００１３】
図４（ａ）は請求項２の実施例を示す耳かきヘッド８の立体図である。耳かきヘッド８の周囲には複数のリブ５が形成されており、リブ５と隣接するリブ５とフランジ９によって窪み６が形成されている。図４（ｂ）は図４（ａ）の断面図である。
【００１４】
図５（ａ）はリブ５の数が３個とフランジ９の数が１個の場合の耳かきヘッド１０の実施例である、耳かきヘッド１０には縦方向にリブ５が１２０度の間隔で３箇所形成されており、先端にフランジ９がリブ５に交差するように形成され、隣接のリブ５とフランジ９によって窪み６が形成されている、図５（ｂ）は図５（ａ）の断面図である。
【００１５】
図６（ａ）は本考案の請求項３の実施例を示す立体図である。当該道具１の先端部３には耳かきヘッド８が装着されており、その耳かきヘッド８の後方にはストッパー１１が装着されている。
図６（ｂ）は図６（ａ）の先端部拡大図である、先端部３には複数の溝１３が形成されている、その溝１３にストッパー１１の突起部１２を勘合させるとことでストッパーの位置を決める事ができる、当該道具１の先端付近に形成された複数の溝１３の上をストッパー１１をスライドさせ適当な位置で溝１３とストッパーの突起部１２を勘合させることで、耳かきヘッド８の先端からストッパー１１までの距離間隔が調整でき構造である。
【００１６】
図７（ａ）は本考案の請求項３の実施例を示すストッパー１１の立体図である。図７（ｂ）は図７（ａ）の断面図である。ストッパー１１の内側には突起部１２が形成されている。
図８（ａ）は本考案の請求項２の耳かきヘッド８を外耳道１４に摺接させながら摺動する軌跡を示した図である。外耳道１４の壁部を矢印の様に右回り左回りに関係なく摺動させることで耳垢１５は耳かきヘッ８によって剥離され窪み６によって掬い取られる。
【００１７】
図８（ｂ）は図８（ａ）で摺接しながら摺動して剥離した耳垢１５を外部に取り出す様子を表した図である。耳かきヘッド８を外耳道１４に対して摺接しながら摺動させることで乾性耳垢タイプ・湿性耳垢タイプ等タイプに関係なく取りこぼしのない耳垢１５の除去が出来る。
【符号の説明】
【００１８】
１：当該道具。
２；柄。
３：先端部。
４：請求項１の耳かきヘッド。
５：耳かきヘッドのリブ。
６：耳かきヘッドの窪み。
７：耳かきヘッドの挿入口。
８：請求項２の耳かきヘッド。
９：耳かきヘッドのフランジ。
１０：請求項２のリブ３箇所フランジ１箇所で構成されている耳かきヘッド。
１１：ストッパー
１２：突起部。
１３：溝。
１４：外耳道
１５：耳垢
【図１】
0003205307.tif 000003
【図２】
0003205307.tif 000004
【図３】
0003205307.tif 000005
【図４】
0003205307.tif 000006
【図５】
0003205307.tif 000007
【図６】
0003205307.tif 000008
【図７】
0003205307.tif 000009
【図８】
0003205307.tif 000010